(57)【要約】【課題】  画像表示が継続されている状態下で容易かつ直感的にプリント情報を付加することができる撮像装置を提供する。【解決手段】  撮像素子５により撮像された画像を記録する記録部７と、前記記録部７に記録されている前記画像を表示する表示部１３と、前記表示部１３の表示画面上に設けられるタッチパネル１７と、前記画像にプリント情報を付加するプリント情報付加モードに設定されているときには、前記表示部１３に前記画像の表示を継続している状態下において前記タッチパネル１７上に手書き入力された数字、文字または記号を認識すると共に、該認識結果に基づいて当該画像に対してプリント情報を付加するプリント情報付加部３とを備える。【選択図】  図１
2010166459.tif 000002
【特許請求の範囲】
【請求項１】
撮像素子により撮像された画像を記録する記録部と、
前記記録部に記録されている前記画像を表示する表示部と、
前記表示部の表示画面上に設けられるタッチパネルと、
前記画像にプリント情報を付加するプリント情報付加モードに設定されているときには、前記表示部に前記画像の表示を継続している状態下において前記タッチパネル上に手書き入力された数字、文字または記号を認識すると共に、該認識結果に基づいて当該画像に対してプリント情報を付加するプリント情報付加部と、
を備えることを特徴とする撮像装置。
【請求項２】
前記表示部に前記画像が表示されている状態で前記タッチパネル上に手書き入力されたパターンに基づいて、前記プリント情報付加モードへの移行、及び該プリント情報付加モードの解除の少なくとも一方を行うことを特徴とする請求項１記載の撮像装置。
【請求項３】
前記表示部に前記画像が表示されている状態で前記タッチパネル上にダブルタッチ入力することにより、前記プリント情報付加モードへの移行、及び該プリント情報付加モードの解除の少なくとも一方を行うことを特徴とする請求項１記載の撮像装置。
【請求項４】
前記プリント情報付加モードにおいて、前記表示部に表示されている前記画像の前記表示部内における移動、拡大、縮小、スクロール表示、及び該画像から他画像への切換表示の少なくとも一つを実行可能であることを特徴とする請求項１〜請求項３の何れか一項に記載の撮像装置。
【発明の詳細な説明】
【技術分野】
【０００１】
本発明は、ＤＰＯＦ（Ｄｅｇｉｔａｌ  Ｐｒｉｎｔ  Ｏｒｄｅｒ  Ｆｏｒｍａｔ）設定可能な撮像装置に関するものである。
【背景技術】
【０００２】
表示部に表示されている複数のインデックス画像を見ながら、タッチパネルによりプリントすべき画像のプリント枚数等を含むプリント情報を入力し、入力されたプリント情報に基づいて画像をプリントするフィルム画像プリント装置が提案されている（例えば、特許文献１参照）。
【先行技術文献】
【特許文献】
【０００３】
【特許文献１】特開平８−１９１３６４号公報
【発明の概要】
【発明が解決しようとする課題】
【０００４】
ところで、特許文献１記載のプリント装置では、小さいサイズのインデックス画像から写っている人物等の詳細を視認するのが困難な場合があり、インデックス画像を参照しつつプリントすべき画像を選択するのが困難な場合があった。また、表示部内の側部に表示されている０〜９の数字の何れかをタッチすることによりプリント枚数を指定しているが、押し間違い等により誤ったプリント枚数が入力される場合があった。
【０００５】
本発明の目的は、画像表示が継続されている状態下で容易かつ直感的にプリント情報を付加することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、撮像素子（５）により撮像された画像を記録する記録部（７）と、前記記録部（７）に記録されている前記画像を表示する表示部（１３）と、前記表示部（１３）の表示画面上に設けられるタッチパネル（１７）と、前記画像にプリント情報を付加するプリント情報付加モードに設定されているときには、前記表示部（１３）に前記画像の表示を継続している状態下において前記タッチパネル（１７）上に手書き入力された数字、文字または記号を認識すると共に、該認識結果に基づいて当該画像に対してプリント情報を付加するプリント情報付加部（３）とを備えることを特徴とする。
【発明の効果】
【０００８】
本発明の撮像装置によれば、画像表示が継続されている状態下で容易かつ直感的にプリント情報を付加することができる。
【図面の簡単な説明】
【０００９】
【図１】実施の形態に係る電子カメラのシステム構成を示すブロック図である。
【図２】実施の形態に係る電子カメラにおいて画像データにプリント情報を付加する際の動作について説明するためのフローチャートである。
【図３】実施の形態に係る電子カメラの背面図である。
【図４】実施の形態に係る電子カメラの背面図である。
【図５】実施の形態に係る電子カメラの背面図である。
【図６】実施の形態に係る電子カメラの背面図である。
【図７】実施の形態に係る電子カメラの背面図である。
【図８】実施の形態に係る電子カメラの背面図である。
【図９】実施の形態に係る電子カメラの背面図である。
【発明を実施するための形態】
【００１０】
以下、図面を参照して、本発明の実施の形態に係る撮像装置としての電子カメラについて説明する。図１は、実施の形態に係る電子カメラ１のシステム構成を示すブロック図である。図１に示すように、電子カメラ１は、マイクロプロセッサ等により構成され、電子カメラ１の各部を統括的に制御する制御部３を備えており、制御部３には、撮像素子５、記録媒体７、操作部９、タッチパネルＩ／Ｆ１１、表示部１３、及び出力Ｉ／Ｆ１５が接続されている。撮像素子５は、ＣＣＤまたはＣＭＯＳ等により構成され、図示しない撮影レンズを介した被写体光を撮像して撮像信号を制御部３に対して出力する。制御部３は、撮像素子５からの撮像信号からをアナログ信号からデジタル信号に変換し、デジタル信号から画像データを生成し、画像データに対して各種の画像処理（ホワイトバランス調正、色補正、階調補正等）を行い、画像処理された画像データを撮像日時、露出等の撮像に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で、図示しないバッファメモリに一時的に記憶させる。
【００１１】
記録媒体７は、電子カメラ１に設けられたカードスロット（図示せず）に着脱可能に装着される可搬性を有する記録媒体であり、例えば、ＣＦカード、ＳＤカード、スマートメディア等が用いられる。記録媒体７には、制御部１５によりバッファメモリから読み込まれた画像データ、画像データに付加される撮像に関する情報、及び後述するＤＰＯＦ（Ｄｉｇｉｔａｌ  Ｐｒｉｎｔ  Ｏｒｄｅｒ  Ｓｙｓｔｅｍ）等の所定の形式により設定されたプリントに関する情報（以下、プリント情報という）等が記録される。
【００１２】
操作部９は、電源をオン／オフする電源スイッチ、被写体の撮像を指示する際に操作されるレリーズボタン１９（図３〜図９参照）、表示部１３に表示される画像の拡大表示及び縮小表示を行う際に用いられるズームボタン２１（図３〜図９参照）等を含んで構成されている。タッチパネルＩ／Ｆ（タッチパネルインターフェース）１１には、表示部１３の表示画面上に設けられているタッチパネル１７が接続されている。制御部３は、タッチパネル１７上に例えばユーザーの指、ペン等で触れることにより手書き入力された数字、文字または記号を、タッチパネルＩ／Ｆ１１を介して認識し、認識結果に基づいた処理を行う。
【００１３】
表示部１３は、電子カメラ１の背面部に配置されるＬＣＤ等により構成されるモニタを含んで構成されており、ライブビュー画像、記録媒体７に記録されている画像データに基づく画像、撮像に関する情報、プリント情報、及びタッチパネル１７において入力するために用いるマーク等を表示する。出力Ｉ／Ｆ（出力インターフェース）１５には、例えば記録媒体７に記録されている画像データに基づく画像をプリントするためのプリンタ等が接続される。
【００１４】
この実施の形態に係る電子カメラ１では、記録媒体７に記録されている画像データに基づく画像を表示部１３に再生表示している状態、即ち画像の再生表示を継続している状態下において、再生表示されている画像の画像データに対してプリント情報を付加することができる。ここで、プリント情報とは、プリントしたい画像のプリント枚数、トリミング、回転等を指定する情報のことであり、画像データに対してＤＰＯＦ等の所定の形式で付加される。
【００１５】
次に、図２に示すフローチャートを参照して、この実施の形態に係る電子カメラ１において、記録媒体７に記録されている画像データにプリント情報を付加する際の動作について説明する。
【００１６】
まず、制御部３は、記録媒体７に記録されている画像データに基づく画像が表示部１３に表示されている際に（ステップＳ１０）、ＤＰＯＦ設定モードに移行するための入力がなされたか否かを判別する（ステップＳ１１）。ここで、ＤＰＯＦ設定モードとは、画像データにＤＰＯＦでプリント情報を付加するためのモードである。この実施の形態では、図３に示すように、ユーザーによりタッチパネル１７（表示部１３）上の外周部に沿って手書き入力されるパターンを、制御部３がＤＰＯＦ設定モードに移行するためのパターンとして認識するように設定されている。したがって、制御部３は、タッチパネルＩ／Ｆ１１を介して、タッチパネル１７（表示部１３）上の外周部に沿った入力を認識したとき、ＤＰＯＦ設定モードに移行するための入力がなされたと判別する（ステップＳ１１、Ｙｅｓ）。
【００１７】
なお、図３には、被写体の撮像を指示する際に操作されるレリーズボタン１９、及び表示部１３に表示される画像の拡大表示及び縮小表示を行う際に用いられるズームボタン２１が図示されている。ズームボタン２１の右側（Ｔ側）を押下することにより表示部１３に表示されている画像は拡大され、画像が拡大表示されているときにズームボタン２１の左側（Ｗ側）を押下することにより画像は縮小される。
【００１８】
また、表示部１３の画面上の上中央部、下中央部、左中央部、右中央部に表示されている黒三角形状の矢印２３ａ〜２３ｄは、タッチパネル１７において入力するために用いるマークであり、画像が拡大表示されているときに矢印２３ａ上に触れることにより画像は下に移動する。同様に、画像が拡大表示されているときに、矢印２３ｂ上に触れることにより画像は上に、矢印２３ｃ上に触れることにより画像は右に、矢印２３ｄ上に触れることにより画像は左に移動する。
【００１９】
上述のズームボタン２１による操作、及び矢印２３ａ〜２３ｄに触れることによるタッチパネル１７への入力は、ＤＰＯＦ設定モードに移行後（ステップＳ１２〜Ｓ１８）においても常に有効である。また、画像が表示部１３に拡大表示されている状態下においても、制御部３は、ユーザーによりＤＰＯＦ設定モードに移行するための入力が行われた場合にはそれを認識することができる。
【００２０】
ＤＰＯＦ設定モードに移行するための入力がなされたと判別された場合には（ステップＳ１１、Ｙｅｓ）、制御部３は、図４に示すように、表示部１３に、画像の表示を継続している状態下で、ユーザーに対して「この画像をプリント指定（ＤＰＯＦ）します。よろしいですか？」等のＤＰＯＦ設定モードへの移行を確認するための表示を行う（ステップＳ１２）。
【００２１】
この際、制御部３は、タッチパネル１７においてユーザーがＤＰＯＦ設定モードに移行してよいか否かを入力するために用いるマーク（図４では「はい」「いいえ」）を表示部１３に表示させる。そして、制御部３は、表示部１３上の「いいえ」の領域内に触れることによるタッチパネル１７への入力を認識した場合には、ＤＰＯＦ設定モードに移行することなく（ステップＳ１３、Ｎｏ）、プリント情報付加に関する動作を終了する（表示部１３への画像再生表示は継続されている）。即ち、ユーザーは、ステップＳ１２におけるＤＰＯＦ設定モードへの移行確認のための表示が行われているときに、例えば画像を拡大表示する等して詳細を確認したのち、画像をプリントする必要がないと判断した場合等、ＤＰＯＦ設定モードに移行しないことを選択することができる。
【００２２】
一方、表示部１３上の「はい」の領域内に触れることによるタッチパネル１７への入力が認識された場合には、制御部３は、ＤＰＯＦ設定モードに移行してよいと判別し（ステップＳ１３、Ｙｅｓ）、図５に示すように、表示部１３に、画像の表示を継続している状態下で、ユーザーに対して「プリント枚数を指定して下さい。」等の画像をプリントする枚数を指定するよう要求するための表示を行う（ステップＳ１４）。このとき、図５に示すように、表示部１３の画面左上に「プリント」と点滅表示等させることによりＤＰＯＦ設定モードに移行したことを示すことができる。また、制御部３は、ユーザーがプリント枚数を示す数字を表示部１３上に容易かつ直感的に入力することができるような入力補助となる指標２５を表示する。
【００２３】
次に、制御部３は、タッチパネルＩ／Ｆ１１を介してタッチパネル１７（表示部１３）上に入力されたパターンを認識し、認識結果に基づいてユーザーが入力した数字を特定する（ステップＳ１５）。そして、制御部３は、ステップＳ１５において特定した数字を画像のプリント枚数と認識し、図６に示すように、表示部１３に、画像の表示を継続している状態下で、プリント枚数を点滅表示（図６では「３」）させると同時に、ユーザーに対して「指定枚数をプリント予約します。よろしいですか？」等のプリント枚数を確認するための表示を行う（ステップＳ１６）。
【００２４】
この際、制御部３は、タッチパネル１７において特定されたプリント枚数が正しいか否かを入力するために用いるマーク（図６では「はい」「いいえ」）を表示部１３に表示させる。そして、制御部３は、表示部１３上の「いいえ」の領域内に触れることによるタッチパネル１７への入力を認識した場合には、ステップＳ１４の動作に戻り、正しいプリント枚数が特定されるまでステップＳ１４〜Ｓ１６の動作を繰り返す。なお、ユーザーは、プリント枚数を入力した後で、像を拡大表示する等して詳細を確認したのち、画像のプリント枚数を変更したい場合等、「いいえ」を選択することができる。
【００２５】
一方、表示部１３上の「はい」の領域内に触れることによるタッチパネル１７への入力が認識された場合には、制御部３は、特定したプリント枚数が正しいと判断し（ステップＳ１７、Ｙｅｓ）、図７に示すように、表示部１３に、画像の表示を継続している状態下で、画像に対してプリント枚数を指定するプリント情報が付加されたことを示す表示（図７では「プリント  ３」）を行う（ステップＳ１８）。この際、制御部３は、例えば、タッチパネル１７においてユーザーがＤＰＯＦ設定モードを継続するか終了するかを入力するために用いるマーク（図７では「前へ」「次へ」「終了」）を表示部１３に表示させる。
【００２６】
「前へ」または「次へ」の領域内に触れることによるタッチパネル１７への入力があった場合には、制御部３は、ＤＰＯＦ設定モードを継続させ、「終了」の領域内に触れることによるタッチパネル１７への入力があった場合には、制御部３は、ＤＰＯＦ設定モードを終了させる（表示部１３への画像再生表示は継続されている）。このとき、「前へ」への入力があった場合には、表示されている画像の１つ前に表示された画像を表示し、表示された画像に対してプリント情報を付加する動作を継続させる。「次へ」への入力があった場合には、表示されている画像の１つ後に表示される予定の画像を表示し、表示された画像に対してプリント情報を付加する動作を継続させる。なお、プリント情報が付加された画像データに基づく画像を再生表示させる際には、画像と共にプリント情報を例えば表示部１３の左上部等に表示させることもできる。
【００２７】
このように、記録媒体７に記録されている画像データに対してプリント情報が付加されると、出力Ｉ／Ｆ１５に接続されるプリンタを用いて、その画像データに基づく画像をプリント情報に基づいて印刷することができる。または、印刷サービスが行われているショップに記録媒体７を持ち込み、ショップで記録媒体７に記録されている画像データに基づく画像を付加されているプリント情報に基づいて印刷することができる。
【００２８】
なお、図２に示すフローチャートに沿って画像データにプリント情報を付加する処理が行われている途中いつでもＤＰＯＦ設定モードを解除することができる。具体的には、図３に示すような表示部１３上の外周部に沿った入力を認識したとき、またはその他文字や記号等のタッチパネル入力を認識したとき、ＤＰＯＦ設定モードを解除するように設定し、制御部３は、設定されたタッチパネル入力を認識したとき、ＤＰＯＦ設定モードを解除するための入力がなされたと判別する。この場合には、表示部１３に、画像の表示を継続している状態下で、ユーザーに対して「プリント指定（ＤＰＯＦ）を終了します。よろしいですか？」等のＤＰＯＦ設定モードを解除してよいか否かを確認するための表示、及びタッチパネル１７においてユーザーがＤＰＯＦ設定モードを解除してよいか否かを入力するために用いるマーク（例えば「はい」「いいえ」「前へ」「次へ」）の表示を行う。ユーザーが「はい」を選択した場合には、制御部３は、ＤＰＯＦ設定モードを終了する。ユーザーが「いいえ」を選択した場合には、制御部３は、ＤＰＯＦ設定モードを継続する。ユーザーが「前へ」または「次へ」を選択した場合には、制御部３は、表示されている画像の１つ前に表示された画像または１つ後に表示される予定の画像を表示し、表示された画像に対するＤＰＯＦ設定モードを開始する。
【００２９】
この実施の形態に係る電子カメラによれば、タッチパネル１７上に直感的に数字を入力することによりプリント枚数を指定することができるため、誤ったプリント枚数が入力されることを防止することができる。また、タッチパネル１７を用いて容易かつ直感的にＤＰＯＦ設定モードへの移行や解除を行うことができる。また、表示部１３に画像が表示されている状態下でプリント情報を付加することができ、かつプリント情報を付加している途中いつでも画像を、画面内での移動、拡大、縮小させることができるため、ユーザーは画像を視認しつつプリント情報を付加することができる。また、ＤＰＯＦ設定モードを継続させた状態で他画像への切換表示を行うことができるため、個々の画像毎にＤＰＯＦ設定モードに移行する手間を省くことができる。
【００３０】
なお、この実施の形態においては、図３に示すような表示部１３上の外周部に沿った入力を認識したとき、ＤＰＯＦ設定モードに移行するための入力がなされたと判別しているが、表示部１３上に例えば図８に示すようなＰ（Ｐｒｉｎｔの頭文字）の文字が入力されたとき、図９に示すようなダブルタッチ入力がなされたとき、またはその他文字や記号等が入力されたとき、ＤＰＯＦ設定モードに移行するための入力がなされたと判別するように設定することもできる。
【００３１】
また、この実施の形態においては、タッチパネル入力を認識することによりＤＰＯＦ設定モードに移行しているが、電子カメラに別設のボタン等を設け、その別設のボタンを押下することによりＤＰＯＦ設定モードへ移行することもできる。同様に、タッチパネル入力を認識することによりＤＰＯＦ設定モードを解除しているが、電子カメラに別設のボタン等を設け、その別設のボタンを押下することによりＤＰＯＦ設定モードを解除することもできる。
【００３２】
また、この実施の形態においては、表示部１３の画面上に表示されている黒三角形状の矢印２３ａ〜２３ｄを用いて拡大表示されている画像を上下左右に移動させているが、例えば表示部１３の画面下部及び右部にスクロールバーを表示させ、スクロールバーを用いて拡大表示されている画像を上下左右に移動させることもできる。また、矢印やスクロールバーを表示させることなく、タッチパネル１７において移動させたい方向及び距離を直接入力することにより、拡大表示されている画像を上下左右に移動させることもできる。
【符号の説明】
【００３３】
１…電子カメラ、３…制御部、５…撮像素子、７…記録媒体、９…操作部、１１…タッチパネルＩ／Ｆ、１３…表示部、１５…出力Ｉ／Ｆ、１７…タッチパネル、１９…レリーズボタン、２１…ズームボタン。
【図１】
2010166459.tif 000003
【図２】
2010166459.tif 000004
【図３】
2010166459.tif 000005
【図４】
2010166459.tif 000006
【図５】
2010166459.tif 000007
【図６】
2010166459.tif 000008
【図７】
2010166459.tif 000009
【図８】
2010166459.tif 000010
【図９】
2010166459.tif 000011